(57)【要約】【課題】予め外装材を貼ってある外壁パネルを用いても容易に二重に防水できて施工性を向上できるようにする。【解決手段】複数枚の外壁パネルＡを左右に並べて左右に隣り合う外壁パネルＡの壁パネル本体４の側端同士を突き合せる。隣り合う外壁パネルＡの外装材６の側端同士を目地隙間８を介して対向させる。目地隙間８より幅が広くて長尺の基板１０にシール材１１を裏打ちした内部目地部材７を隣り合う外壁パネルＡ間で隣り合う外壁パネルＡの外面板２間に亙るように配置して内部目地部材７のシール材１１側を外面板２の外面に密着させる。目地隙間８と対応する位置で内部目地部材７の基板１０側から壁パネル本体４側に釘、ビス等の固着具１２を打入して内部目地部材７を装着する。隣り合う外装材６間の目地隙間８に外部目地部材９を充填する。【選択図】        図１
2005248526.tif 000002
【特許請求の範囲】
【請求項１】
パネル枠の両面に外面板と内面板を夫々貼って壁パネル本体を形成すると共にこの壁パネル本体の外面板の外面側に通気下地材を介して外装材を貼って外壁パネルを形成し、複数枚の外壁パネルを左右に並べて左右に隣り合う外壁パネルの壁パネル本体の側端同士を突き合せ、隣り合う外壁パネルの外装材の側端同士を目地隙間を介して対向させ、目地隙間より幅が広くて長尺の基板にシール材を裏打ちした内部目地部材を隣り合う外壁パネル間で隣り合う外壁パネルの外面板間に亙るように配置して内部目地部材のシール材側を外面板の外面に密着させ、上記目地隙間と対応する位置で内部目地部材の基板側から壁パネル本体側に釘、ビス等の固着具を打入して内部目地部材を装着し、隣り合う外装材間の目地隙間に外部目地部材を充填して成ることを特徴とする外壁パネルの接続構造。
【発明の詳細な説明】
【技術分野】
【０００１】
本発明は、外壁パネルの接続構造に関し、詳しくは接続部分を目地部材で仕舞う構造に関するものである。
【背景技術】
【０００２】
従来、パネル枠に面板を貼って壁パネル本体を形成すると共にこの壁パネル本体の外面側に下地材を介して外装材を貼って外壁パネルを形成し、複数枚の外壁パネルを左右に並べ、隣り合う外壁パネルの壁パネル本体の側端同士を突き合せ、隣り合う外壁パネルの外装材の側端間の目地隙間に目地部材を装填している（例えば、特許文献１参照）。
【０００３】
かかる従来例では外装材の側端間に目地部材を介装して内部に水が浸入するのを防止しているが、外装材の側端間に目地部材を介装しているだけのために一重にしか防水できず、内部に水が浸入するおそれがある。
【０００４】
これを防止するため図５に示すようにパネル枠１の両面に外面板２と内面板３を貼って壁パネル本体４を形成し、外面板２の外面側に通気下地材５を介して外装材６を貼って外壁パネルＡを形成し、この外壁パネルＡを左右に並べて隣り合う外壁パネルＡの壁パネル本体４の側端同士を突き合せ、隣り合う外壁パネルＡ間で隣り合う外面板２の側端間に内部目地材７′を装填し、隣り合う外壁パネルＡの外装材６の側端間の目地隙間８に外部目地部材９を充填している。
【特許文献１】特開平１０−１８５７１号公報
【発明の開示】
【発明が解決しようとする課題】
【０００５】
上記図５に示すものでは外装材６の側端間の目地隙間８に充填した外部目地部材９と隣り合う外面板２間に装填した内部目地材７′とで二重に防水できて防水が確実になるが、内部目地材７′の装填のために次の問題がある。外壁パネルＡを左右に並べて壁パネル本体４の側端同士を突き合せて接続した状態で隣り合う外面板２間に湿式で内部目地材７′を装填するのであるが、外壁パネルＡに予め外装材６を貼ってあると、隣り合う外装材６の側端間の狭い目地隙間８から内部目地材７′を装填しなければならなく、施工がしにくいと共に上手く施工できないという問題がある。実際には外装材６を貼る前の壁パネル本体４を並べて隣り合う壁パネル本体４同士を接続し、隣り合う壁パネル本体４の外面間に内部目地材７′を装填し、内部目地材７′を装填してから壁パネル本体４の外面板２の外面側に外装材６を現場で貼らなければならなく、施工に手間がかかるという問題がある。
【０００６】
本発明は上記の従来の問題点に鑑みて発明したものであって、二重に防水して確実に防水できるのは勿論、予め外装材を貼ってある外壁パネルを用いても容易に二重に防水できて施工性を向上できる外壁パネルの接続構造を提供することを課題とするものである。
【課題を解決するための手段】
【０００７】
上記課題を解決するために本発明に係る外壁パネルの接続構造は、パネル枠１の両面に外面板２と内面板３を夫々貼って壁パネル本体４を形成すると共にこの壁パネル本体４の外面板２の外面側に通気下地材５を介して外装材６を貼って外壁パネルＡを形成し、複数枚の外壁パネルＡを左右に並べて左右に隣り合う外壁パネルＡの壁パネル本体４の側端同士を突き合せ、隣り合う外壁パネルＡの外装材６の側端同士を目地隙間８を介して対向させ、目地隙間８より幅が広くて長尺の基板１０にシール材１１を裏打ちした内部目地部材７を隣り合う外壁パネルＡ間で隣り合う外壁パネルＡの外面板２間に亙るように配置して内部目地部材７のシール材１１側を外面板２の外面に密着させ、上記目地隙間８と対応する位置で内部目地部材７の基板１０側から壁パネル本体４側に釘、ビス等の固着具１２を打入して内部目地部材７を装着し、隣り合う外装材６間の目地隙間８に外部目地部材９を充填して成ることを特徴とする。
【０００８】
上記のように構成したことにより、複数枚の外壁パネルＡを並べて隣り合う外壁パネルＡの壁パネル本体４の側端同士を突き合わせて接続した状態で、隣り合う外壁パネルＡ間における外面板２の外面側に外壁パネルＡの上端から内部目地部材７を挿入して隣り合う外面板２の外面間に沿わせると共に内部目地部材７のシール材１１を外面板２に密着させ、目地隙間８からビス、釘等の固着具１２を挿入して固着具１２を内部目地部材７の基板１０側から壁パネル本体４に打入して内部目地部材７を固着することでシールできる。これにより、目地隙間８に充填した外部目地部材９と内部目地部材７とで二重に防水して防水を確実にできるのは勿論、予め外装材６を貼った外壁パネルＡであっても内部目地部材７を容易に装着して防水できて二重の防水するものでも施工が容易且つ確実にできる。
【発明の効果】
【０００９】
本発明は叙述の如く目地隙間に充填した外部目地部材と隣り合う外面板間に装着した内部目地部材とで二重に防水して防水を確実にできるのは勿論、予め外装材を貼った外壁パネルであっても内部目地部材を容易に装着して防水できて二重の防水するものでも施工が容易且つ確実にできるという効果がある。
【発明を実施するための最良の形態】
【００１０】
以下、本発明を添付図面に示す実施形態に基いて説明する。
【００１１】
壁パネル本体４は木材等で形成せるパネル枠１内にグラスウール等の断熱材１４を装填し、パネル枠１の両面にパーティクルボード等の外面板２と内面板３を貼って形成されている。この壁パネル本体１の外面板２の外面側に通気下地材５を間隔を隔てて装着してあり、この通気下地材５の外面側に窯業系材料からなる外装材６を貼って外壁パネルＡを形成してある。この外壁パネルＡは建物の各階の階間に亙る高さに形成された大型のパネルである。
【００１２】
内部目地部材７は外壁パネルＡの上下方向に亙る長さの細長い長尺物に形成されており、この内部目地部材７の幅は後述する目地隙間８より幅の広いものである。この内部目地部材７はアルミニウムのような金属板からなる基板１０の裏面にブチルゴムのようなシール材１１を裏打ちして形成されている。
【００１３】
外壁パネルＡを建物躯体１５に取り付けて外壁を施工するときは各階で複数枚の外壁パネルＡが左右に並べれる。左右に隣り合う外壁パネルＡの壁パネル本体４の側端同士をが突き合わせられ、隣り合う外壁パネルＡの壁パネル本体４同士は縫い釘のような固着具１６の打入で連結される。このように隣り合う外壁パネルＡを連結することで隣り合う外壁パネルＡの外装材６の側端間に目地隙間８が形成される。
【００１４】
図１の例の場合、隣り合う外壁パネルＡの壁パネル本体４の側端同士を突き合わせて接続するとき、その間に木質材からなるアダプター２１を介装して連結され、隣り合う外装材６間の目地隙間８のセンターとアダプター２１とが対応している。図２の例の場合、外装材６の側端に対して壁パネル本体４の側端が突出する寸法を変えてあり、隣り合う外装材６間の目地隙間８のセンターに対して壁パネル本体４の側端同士の突き合わせ面が左右方向にずれている。また図１や図２の例の場合、外装材６の側端より控えた位置に通気下地材５を設けてあり、目地隙間８と外面板２との間に上下方向に亙る目地材挿入スペースＳを設けてある。図３の例の場合、通気下地材５に切り欠き１７を設けることで目地材挿入スペースＳを設けてある。
【００１５】
隣り合う外壁パネルＡの壁パネル本体４同士を接続した状態で上記目地材挿入スペースＳに内部目地部材７が上下方向全長に亙って挿入される。１階部分の外壁パネルＡの目地材挿入スペースＳに内部目地部材７を挿入する場合は、幕板１８の施工する前に外壁パネルＡの上端から内部目地部材７が挿入される。２階部分の外壁パネルＡの目地材挿入スペースＳに内部目地部材７を挿入する場合は、屋根を施工する前に外壁パネルＡの上端から内部目地部材７が挿入される。基板１０を目地隙間８側にして内部目地部材７を目地材挿入スペースＳに挿入したとき、シール材１１が外面板２の外面に沿わせられ、内部目地部材７の上下方向の適所で目地隙間８からビス、釘等の固着具１２が挿入され、内部目地部材７の基板１０側から内部目地部材７を介して壁パネル本体４側に固着具１２が打入され、内部目地部材７が装着されると共にシール材１１が外面板２に密着させられて隣り合う外面板２間がシールされる。
【００１６】
このように内部目地部材７が装着された後、隣り合う外装材６の側端間の目地隙間８の奥に上下全長に亙るようにバックアップ材１９が装着され、シーリング材のような外部目地部材９が目地隙間８の上下全長に亙って装填される。このように内部目地部材７と外部目地部材７の装着することにより二重に防水することができる。外壁パネルＡを上記のように施工した後、内面板３に調湿石膏ボードのような内装材２０が貼られる。
【図面の簡単な説明】
【００１７】
【図１】本発明の実施の形態の一例の要部の横断面図である。
【図２】同上の他例の要部の横断面図である。
【図３】同上のさらに他例の要部の横断面図である。
【図４】同上の外壁パネルを建て込んだ状態の縦断面図である。
【図５】従来例を説明する横断面図である。
【符号の説明】
【００１８】
Ａ  外壁パネル  
１  パネル枠
２  外面板
３  内面板
４  壁パネル本体
５  通気下地材
６  外装材
７  内部目地部材
８  目地隙間
９  外部目地部材
１０  基板
１１  シール材
１２  固着具
【図１】
2005248526.tif 000003
【図２】
2005248526.tif 000004
【図３】
2005248526.tif 000005
【図４】
2005248526.tif 000006
【図５】
2005248526.tif 000007